(57)【特許請求の範囲】
【請求項１】
内部に液状芳香剤等の液体が充填される容器本体と、該容器本体の口部に着脱自在に遊嵌される中栓と、該中栓に挿着されるとともに、下端部が容器本体内の液状芳香剤等の液体に浸漬され、上端部が容器本体外に突出する吸上げ部材と、前記中栓の上部に着脱自在に設けられ、装着時には前記吸上げ部材の上端部を被包して空気との接触を断ち、取り外した時には前記吸上げ部材の上端部を開放して空気と接触させる蓋と、前記容器本体の口部に着脱自在に取り付けられ、容器本体の口部との間で前記中栓のみを又は前記中栓と前記蓋とを挟持するキャップとを具え、前記中栓の一部を前記キャップの一部に嵌合させたことを特徴とする液体容器。
【請求項２】
内部に液状芳香剤等の液体が充填される容器本体と、該容器本体の口部に着脱自在に遊嵌される中栓と、該中栓に挿着されるとともに、下端部が容器本体内の液状芳香剤等の液体に浸漬され、上端部が容器本体外に突出する吸上げ部材と、前記容器本体の口部に着脱自在に取り付けられるとともに、容器本体の口部との間で前記中栓を挟持するキャップと、該キャップの上部に着脱自在に設けられ、装着時には前記吸上げ部材の上端部を被包して空気との接触を断ち、取り外した時には前記吸上げ部材の上端部を開放して空気と接触させる蓋とを具え、前記中栓の一部を前記キャップの一部に嵌合させたことを特徴とする液体容器。
【発明の詳細な説明】
【０００１】
【発明の属する技術分野】
この発明は液状芳香剤等の液体を入れる液体容器に関し、特に、液状芳香剤等の液体の補充が簡単な液体容器に関するものである。
【０００２】
【従来技術およびその問題点】
液状芳香剤等の液体を入れる液体容器には種々のタイプのものがあり、例えば、図９及び図１０に示すようなものが市場に提供されている。
【０００３】
すなわち、この液体容器は、内部に液状芳香剤等の液体が充填される容器本体４１と、容器本体４１の口部４２に嵌合される中栓４４と、中栓４４の中心部に挿着されるとともに、下端部が容器本体４１内の液状芳香剤等の液体に浸漬され、上端部が容器本体４１外に突出する吸上げ部材４９と、中栓４４の上部に装着されて吸上げ部材４９の上端部を被包する蓋５２と、容器本体４１の口部４２に螺着されるとともに、容器本体４１の口部４２との間で中栓４４及び蓋５２を挟持するキャップ５５とを具えている。
【０００４】
そして、上記のような構成の液体容器を使用するには、容器本体４１の口部４２からキャップ５５を取り外すとともに、中栓４４の上部から蓋５２を取り外して吸上げ部材４９の上端部を露出させて空気と接触させ、キャップ５５を容器本体４１の口部４２に取り付け、口部４２の上端とキャップ５５との間で中栓４４の周縁部を挟持する。
【０００５】
そして、この状態で液体容器を玄関、トイレ等に設置することで、容器本体４１内の液状芳香剤等の液体が吸上げ部材４９を介して吸い上げられ、吸上げ部材４９の露出している部分から液状芳香剤等の液体の揮散が開始され、玄関、トイレ等に芳香剤等の香りを漂わせることができるものである。
【０００６】
そして、容器本体４１内の液状芳香剤等の液体の量が少なくなった場合には、容器本体４１の口部４２からキャップ５５及び中栓４４を取り外して容器本体４１の口部４２を開口させ、口部４２から容器本体４１内に液状芳香剤等の液体を所定量補充すればよいものである。
【０００７】
しかしながら、上記のような構成の液体容器にあっては、液状芳香剤等の液体の漏れを防止するため、中栓４４が容器本体４１の口部４２に強く嵌合されているため、中栓４４を取り外して液状芳香剤等の液体を補充することができない。このため、液状芳香剤等の液体が一杯に充填されている中栓付きの新品の容器本体を購入し、その口部を開口させてキャップを取り付けなければならず、今まで使用していた容器本体、中栓が無駄になってしまい、不経済である。
【０００８】
この発明は前記のような従来のもののもつ問題点を解決したものであって、液状芳香剤等の液体を容器本体内に簡単に補充できるようにすることによって、容器本体及び中栓の無駄を防止することができる、経済的な液体容器を提供することを目的とするものである。
【０００９】
【問題点を解決するための手段】
上記の問題点を解決するためにこの発明は、内部に液状芳香剤等の液体が充填される容器本体と、該容器本体の口部に着脱自在に遊嵌される中栓と、該中栓に挿着されるとともに、下端部が容器本体内の液状芳香剤等の液体に浸漬され、上端部が容器本体外に突出する吸上げ部材と、前記中栓の上部に着脱自在に設けられ、装着時には前記吸上げ部材の上端部を被包して空気との接触を断ち、取り外した時には前記吸上げ部材の上端部を開放して空気と接触させる蓋と、前記容器本体の口部に着脱自在に取り付けられ、容器本体の口部との間で前記中栓のみを又は前記中栓と前記蓋とを挟持するキャップとを具え、前記中栓の一部を前記キャップの一部に嵌合させた手段を採用したものである。また、内部に液状芳香剤等の液体が充填される容器本体と、該容器本体の口部に着脱自在に遊嵌される中栓と、該中栓に挿着されるとともに、下端部が容器本体内の液状芳香剤等の液体に浸漬され、上端部が容器本体外に突出する吸上げ部材と、前記容器本体の口部に着脱自在に取り付けられるとともに、容器本体の口部との間で前記中栓を挟持するキャップと、該キャップの上部に着脱自在に設けられ、装着時には前記吸上げ部材の上端部を被包して空気との接触を断ち、取り外した時には前記吸上げ部材の上端部を開放して空気と接触させる蓋とを具え、前記中栓の一部を前記キャップの一部に嵌合させた手段を採用したものである。
【００１０】
【作用】
この発明は前記のような手段を採用したことにより、容器本体の口部からキャップを取り外すとともに、中栓の上部から蓋を取り外すことで、吸上げ部材の上端部が露出する。そして、この状態でキャップを容器本体の口部に取り付けることで、中栓が容器本体の口部とキャップとの間で挟持され、吸上げ部材の露出している部分から液状芳香剤等の液体の揮散が開始する。そして、容器本体内に液状芳香剤等の液体を補充するには、キャップを容器本体の口部から取り外し、その下側に位置する中栓を容器本体の口部から取り外して口部を開口させ、口部から液状芳香剤等の液体を供給する。この場合、中栓は容器本体の口部に遊嵌されているので、大きな力を必要とすることなく口部から簡単に取り外すことができる。さらに、中栓の一部をキャップの一部に嵌合させ、又は中栓とキャップとを一体に形成したことにより、中栓とキャップとを一緒に取り外すことができるので、キャップを取り外すだけで口部を開口させて、液体を補充することができる。
【００１１】
【発明の実施の形態】
以下、図面に示すこの発明の実施の形態について説明する。
図１及び図２には、この発明による液体容器の第１の実施の形態が示されていて、この液体容器は、内部に液状芳香剤等の液体が充填される容器本体１と、容器本体１の口部２に着脱自在に遊嵌される中栓４と、中栓４に挿着されて下端部が容器本体１内の液状芳香剤等の液体に浸漬され、上端部が容器本体１外に突出する吸上げ部材９と、中栓４の上部に着脱自在に装着される蓋１２と、容器本体１の口部２に着脱自在に螺着されるキャップ１５とを具えている。
【００１２】
容器本体１は、合成樹脂等から形成されるものであって、上部には筒状の口部２が設けられるとともに、口部２の外周面には全体に渡ってねじ３が螺設されるようになっている。
【００１３】
中栓４は、合成樹脂等から形成されるものであって、下端が閉塞された筒状の挿入部５と、挿入部５の上端部に一体に設けられる径方向外方に張り出る鍔状の鍔部６と、挿入部５の中心部に一体に設けられる下端が閉塞された筒状の保持部７とから構成されている。
【００１４】
挿入部５の外径は容器本体１の口部２の内径よりも小径に形成され、容器本体１の口部２の内周側に遊嵌されるようになっている。鍔部６は、容器本体１の口部２の上端に係止され、挿入部５が容器本体１内に落ち込むのを防止するようになっている。保持部７の底面中央部には上下方向に貫通する孔が穿設され、この孔と保持部７の内周側の部分とによって容器本体１内外を連通する連通孔８が形成されるようになっている。
【００１５】
連通孔８内には吸水性を有する素材からなる吸上げ部材９が挿着されるようになっている。吸上げ部材９は、連通孔８のうちの保持部７の内周側に対応する部分に挿着される棒状の棒状部１０と、連通孔８のうちの保持部７の孔に対応する部分に挿着されるとともに、上端部が棒状部１０の下端部に連結され、下端部が容器本体１の液状芳香剤等の液体内に浸漬される糸状の糸状部１１とから構成されている。
【００１６】
吸上げ部材９の棒状部１０の上端部は使用を開始する前には後述する蓋１２によって被包されて空気との接触が断たれ、使用時には蓋１２を取り外すことによって空気と接触するようになっている。なお、吸上げ部材９は、棒状部１０のみで構成しても良いし、糸状部１１のみで構成しても良いものである。
【００１７】
蓋１２は、合成樹脂等から形成される略円板状をなすものであって、上端が閉塞された筒状の被包部１３と、被包部１３の下端開口部に一体に設けられる径方向外方に張り出る鍔状の鍔部１４とから構成されている。そして、蓋１２を中栓４の上部に装着した際、鍔部１４の下面側は中栓４の鍔部６の上面側に接触し、被包部１３の内周側の部分で吸上げ部材９の棒状部１０の上端部を被包するようになっている。なお、蓋１２は中栓４とほぼ同じ大きさに形成されている。
【００１８】
キャップ１５は、合成樹脂等から形成される上端が閉塞された筒状をなすものであって、閉塞されている上端中央部には上下方向に貫通する貫通孔１６が設けられるとともに、貫通孔１６の周縁部（下面側）には下方に突出する筒状の突出部１７が一体に設けられるようになっている。
【００１９】
キャップ１５の突出部１７は、使用を開始する前には蓋１２の鍔部１４の上面側に当接して蓋１２を容器本体１の方向に押圧し、使用時には中栓４の挿入部５の内周側に嵌合して中栓４を容器本体１の口部２の所定の位置に保持するようになっている。
【００２０】
キャップ１５の筒状の部分の内周側には容器本体１の口部２のねじ３と合致するねじ１８が螺設され、このねじ１８を容器本体１の口部２のねじ３に螺合させて所定のトルクで締め付けることで、キャップ１５が容器本体１の口部２に螺着されるものである。
【００２１】
そして、上記のように構成した液体容器の使用を開始するには、容器本体１の口部２からキャップ１５を取り外すとともに、中栓４の上部から蓋１２を取り外して吸上げ部材９の上端部を開放させ、容器本体１の口部２にキャップ１５を螺着させてキャップ１５の突出部１７を中栓４の挿入部５の内周側に嵌合させ、キャップ１５と容器本体１の口部２との間で中栓４の周縁部を挟持する。
【００２２】
そして、この状態で液体容器を玄関、トイレ等に設置することで、吸上げ部材９を介して液状芳香剤等の液体が吸い上げられ、吸上げ部材９の露出している部分から液状芳香剤等の液体の揮散が開始され、芳香剤等の香りを玄関、トイレ等に漂わせることができるものである。
【００２３】
そして、容器本体１内の液状芳香剤等の液体の量が減少した場合には、キャップ１５及び中栓４を容器本体１の口部２から取り外して口部２を開口させ、口部２から容器本体１内に液状芳香剤等の液体を補充する。
【００２４】
この場合、キャップ１５の突出部１７が中栓４の挿入部５に嵌合していることにより、キャップ１５と中栓４とは一体に容器本体１の口部２から取り外され、口部２が開口されることになる。
【００２５】
したがって、キャップ１５を取り外すだけで中栓４を容器本体１から取り外すことができるので、中栓４の取り外し作業が非常に簡単となる。また、中栓４を容器本体１の口部２から取り外す際に、中栓４に直接手が触れることはないので、誤って手が吸上げ部材９に触れてしまって、液状芳香剤等の液体が手に付着してしまうこともない。さらに、中栓４は容器本体１の口部２に遊嵌されているので、両者の加工精度をラフにすることができ、加工コストを下げることができることになる。
【００２６】
図３及び図４には、この発明による液体容器の第２の実施の形態が示されていて、この液体容器は、内部に液状芳香剤等の液体が充填される容器本体１と、容器本体１の口部２に着脱自在に遊嵌される中栓４と、中栓４に挿着されて下端部が容器本体１内の液状芳香剤等の液体に浸漬され、上端部が容器本体１外に突出する吸上げ部材９と、容器本体１の口部２に着脱自在に螺着されるキャップ２５と、キャップ２５に着脱自在に装着される蓋２０とを具えている。
【００２７】
この場合、容器本体１、中栓４、吸上げ部材９は、前記第１の実施の形態に示すものと同様の構成を有しているので、第１の実施の形態と同一の符号を付して詳細な説明は省略するものとする。
【００２８】
蓋２０は、合成樹脂等から形成される略円板状をなすものであって、上端が閉塞された筒状の被包部２１と、被包部２１の外周側中央部に一体に設けられる径方向外方に張り出る鍔状の鍔部２２と、鍔部２２の下面側中央部に一体に設けられる筒状の突出部２３とから構成されている。
【００２９】
キャップ２５は、合成樹脂等から形成される上端が閉塞された筒状をなすものであって、閉塞されている上端中央部には上下方向に貫通する貫通孔２６が設けられるとともに、貫通孔２６の周縁部（下面側）には下方に突出する筒状の突出部２７が一体に設けられ、貫通孔２６の上端開口部には全周に渡って段部２８が所定の深さで環状に設けられている。
【００３０】
キャップ２５の突出部２７は、使用を開始する前、使用時に関わらず、中栓４の挿入部５の内周側に嵌合し、中栓４を容器本体１の口部２の所定の位置に保持するようになっている。
【００３１】
キャップ２５の筒状の部分の内周側には容器本体１の口部２のねじ３と合致するねじ２９が螺設され、このねじ２９を容器本体１の口部２のねじ３に螺合させて所定のトルクで締め付けることで、キャップ２５が容器本体１の口部２に螺着されるものである。
【００３２】
キャップ２５の貫通孔２６内には蓋２０が装着され、そこを閉塞するようになっている。この場合、蓋２０の鍔部２２はキャップ２５の段部２８内に位置し、突出部２３はキャップ２５の貫通孔２６の内周側に位置し、被包部２１の内周側に中栓４の保持部７の上端部が位置するようになっている。
【００３３】
そして、上記のように構成した液体容器の使用を開始するには、キャップ２５から蓋２０を取り外して吸上げ部材９の上端部を開放させ、空気と接触させる。
【００３４】
そして、この状態で液体容器を玄関、トイレ等に設置することで、吸上げ部材９を介して液状芳香剤等の液体が吸い上げられ、吸上げ部材９の露出している部分から液状芳香剤等の液体の揮散が開始され、芳香剤等の香りを玄関、トイレ等に漂わせることができるものである。
【００３５】
そして、容器本体１内の液状芳香剤等の液体の量が減少した場合には、キャップ２５及び中栓４を容器本体１の口部２から取り外して口部２を開口させ、口部２から容器本体１内に液状芳香剤等の液体を補充する。
【００３６】
この場合、キャップ２５の突出部２７が中栓４の挿入部５に嵌合していることにより、キャップ２５と中栓４とは一体に容器本体１の口部２から取り外され、口部２が開口されることになる。
【００３７】
したがって、キャップ２５を取り外すだけで中栓４を容器本体１から取り外すことができるので、中栓４の取り外し作業が非常に簡単となる。また、中栓４を容器本体１の口部２から取り外す際に、中栓４に手が触れることはないので、誤って手が吸上げ部材９に触れてしまって、液状芳香剤等の液体が手に付着してしまうことはない。さらに、中栓４は容器本体１の口部２に遊嵌されているので、両者の加工精度をラフにすることができ、加工コストを下げることができることになる。
【００３８】
図５及び図６には、この発明による液体容器の第３の実施の形態が示されていて、この液体容器は、内部に液状芳香剤等の液体が充填される容器本体１と、容器本体１の口部２に着脱自在に遊嵌される中栓４と、中栓４に挿着されて下端部が容器本体１内の液状芳香剤等の液体に浸漬され、上端部が容器本体１外に突出する吸上げ部材９と、容器本体１の口部２に着脱自在に螺着されるキャップ３５と、キャップ３５に着脱自在に装着される蓋３０とを具えている。
【００３９】
この場合、容器本体１、中栓４、吸上げ部材９は、前記第１の実施の形態に示すものと同様の構成を有しているので、第１の実施の形態と同一の符号を付して詳細な説明は省略するものとする。
【００４０】
蓋３０は、合成樹脂等から形成される略円板状をなすものであって、上端が閉塞された筒状の被包部３１と、被包部３１の外周側中央部に一体に設けられる径方向外方に張り出る鍔状の鍔部３２と、鍔部３２の下面側中央部に一体に設けられる筒状の突出部３３とから構成されている。この場合の突出部３３は、第２の実施の形態に示すものよりも長く形成されている。
【００４１】
キャップ３５は、合成樹脂等から形成される上端が閉塞された筒状をなすものであって、閉塞されている上端中央部には上下方向に貫通する貫通孔３６が設けられるとともに、貫通孔３６の上端開口部には所定の深さの段部３８が環状に設けられている。
【００４２】
キャップ３５の筒状の部分の内周側には容器本体１の口部２のねじ３と合致するねじ３９が螺設され、このねじ３９を容器本体１の口部２のねじ３に螺合させて所定のトルクで締め付けることで、キャップ３５が容器本体１の口部２に螺着されるものである。キャップ３５を容器本体１の口部２に螺着させた際、キャップ３５の筒状の部分の内周側の凹部に中栓４の鍔部６の先端部の凸部が嵌合されるようになっている。
【００４３】
キャップ３５の貫通孔３６内には蓋３０が装着され、そこを閉塞するようになっている。この場合、蓋３０の鍔部３２はキャップ３５の段部３８内に位置し、突出部３３はキャップ３５の貫通孔３６の内周側及び中栓４の挿入部５の内周側に位置し、被包部３１の内周側に中栓４の保持部７の上端部が位置するようになっている。
【００４４】
そして、上記のように構成した液体容器の使用を開始するには、キャップ３５から蓋３０を取り外し、吸上げ部材９の上端部を開放させて空気と接触させる。
【００４５】
そして、この状態で液体容器を玄関、トイレ等に設置することで、吸上げ部材９を介して液状芳香剤等の液体が吸い上げられ、吸上げ部材９の露出している部分から液状芳香剤等の液体の揮散が開始され、芳香剤等の香りを玄関、トイレ等に漂わせることができるものである。
【００４６】
そして、容器本体１内の液状芳香剤等の液体の量が減少した場合には、キャップ３５及び中栓４を容器本体１の口部２から取り外して口部２を開口させ、口部２から容器本体１内に液状芳香剤等の液体を補充する。
【００４７】
この場合、キャップ３５の筒状の部分の内周側に中栓４の鍔部６が嵌合していることにより、キャップ３５と中栓４は一体に容器本体１の口部２から取り外され、口部２が開口されることになる。
【００４８】
したがって、キャップ３５を取り外すだけで中栓４を容器本体１から取り外すことができるので、中栓４の取り外し作業が非常に簡単となる。また、中栓４を容器本体１の口部２から取り外す際に、中栓４に手が触れることはないので、誤って手が吸上げ部材９に触れてしまって、液状芳香剤等の液体が手に付着してしまうことはない。さらに、中栓４は容器本体１の口部２に遊嵌されているので、両者の加工精度をラフにすることができ、加工コストを下げることができることになる。
【００４９】
図７及び図８には、この発明による液体容器の第４の実施の形態が示されていて、この液体容器は、内部に液状芳香剤等の液体が充填される容器本体１と、容器本体１の口部２に着脱自在に遊嵌される中栓４と、中栓４に挿着されて下端部が容器本体１内の液状芳香剤等の液体に浸漬され、上端部が容器本体１外に突出する吸上げ部材９と、容器本体１の口部２に着脱自在に螺着されるキャップ３５と、キャップ３５に着脱自在に装着される蓋３０とを具えている。
【００５０】
この場合、容器本体１、中栓４、吸上げ部材９は、前記第１の実施の形態に示すものと同様の構成を有しているので、第１の実施の形態と同一の符号を付して詳細な説明は省略するものとする。
【００５１】
また、蓋３０は、前記第３の実施の形態に示すものと同様の構成を有しているので、第３の実施の形態に示すものと同一の符号を付して詳細な説明は省略するものとする。
【００５２】
さらに、キャップ３５も前記第３の実施の形態に示すものと同様の構成を有しているので、第３の実施の形態に示すものと同一の符号を付して詳細な説明は省略するものとする。なお、この実施の形態においては、キャップ３５と中栓４とは一体に形成されている。
【００５３】
そして、上記のように構成した液体容器の使用を開始するには、キャップ３５から蓋３０を取り外し、吸上げ部材９の上端部を開放させて空気と接触させる。
【００５４】
そして、この状態で液体容器を玄関、トイレ等に設置することで、吸上げ部材９を介して液状芳香剤等の液体が吸い上げられ、吸上げ部材９の露出している部分から液状芳香剤等の液体の揮散が開始され、芳香剤等の香りを玄関、トイレ等に漂わせることができるものである。
【００５５】
そして、容器本体１内の液状芳香剤等の液体の量が減少した場合には、キャップ３５及び中栓４を容器本体１の口部２から取り外して口部２を開口させ、口部２から容器本体１内に液状芳香剤等の液体を補充する。
【００５６】
この場合、キャップ３５と中栓４とが一体に形成されていることにより、キャップ３５と中栓４とは一体に容器本体１の口部２から取り外され、口部２が開口されることになる。
【００５７】
したがって、キャップ３５を取り外すだけで中栓４を容器本体１から取り外すことができ、中栓４の取り外し作業が非常に簡単となる。また、中栓４を容器本体１の口部２から取り外す際に、中栓４に手が触れることはないので、誤って手が吸上げ部材９に触れてしまって、液状芳香剤等の液体が手に付着してしまうことはない。さらに、中栓４は容器本体１の口部２に遊嵌されているので、両者の加工精度をラフにすることができ、加工コストを下げることができることになる。
【００５８】
【発明の効果】
この発明は請求項１又は請求項２のように構成したことにより、容器本体内に液体を補充するには、容器本体の口部からキャップ及び中栓を取り外し、容器本体の口部を開口させる。この場合、中栓は容器本体の口部に遊嵌されているので、専用の工具を使用することなく、簡単に取り外すことができるとともに、誤って吸上げ部材に手が触れてしまって、手に液状芳香剤等の液体が付着してしまうこともない。また、中栓は容器本体の口部に遊嵌されているので、両者の加工精度をラフにすることができ、加工コストを下げることができることになる。
【００５９】
さらに、請求項３又は請求項４のように構成したことにより、キャップと中栓を一体に容器本体の口部から取り外すことができることになる。したがって、専用の工具を使用することなく、中栓を容器本体の口部から取り外すことができることになる。また、中栓を容器本体の口部から取り外す際に、吸上げ部材に手が誤って触れてしまって、手に液状芳香剤等の液体が付着してしまうことはない。さらに、中栓は容器本体の口部に遊嵌されているので、両者の加工精度をラフにすることができ、加工コストを下げることができることになる。
【図面の簡単な説明】
【図１】この発明による液体容器の第１の実施の形態を示した概略部分断面図であって、使用を開始する前の状態を示した説明図である。
【図２】図１に示すものの使用時の状態を示した説明図である。
【図３】この発明による液体容器の第２の実施の形態を示した概略部分断面図であって、使用を開始する前の状態を示した説明図である。
【図４】図３に示すものの使用時の状態を示した説明図である。
【図５】この発明による液体容器の第３の実施の形態を示した概略部分断面図であって、使用を開始する前の状態を示した説明図である。
【図６】図５に示すものの使用時の状態を示した説明図である。
【図７】この発明による液体容器の第４の実施の形態を示した概略部分断面図であって、使用を開始する前の状態を示した説明図である。
【図８】図７に示すものの使用時の状態を示した説明図である。
【図９】従来の液体容器の一例を示した概略部分断面図であって、使用を開始する前の状態を示した説明図である。
【図１０】図９に示すものの使用時の状態を示した説明図である。
【符号の説明】
１、４１……容器本体
２、４２……口部
３、１８、２９、３９……ねじ
４、４４……中栓
５……挿入部
６、１４、２２、３２……鍔部
７……保持部
８……連通孔
９、４９……吸上げ部材
１０……棒状部
１１……糸状部
１２、２０、３０、５２……蓋
１３、２１、３１……被包部
１５、２５、３５、５５……キャップ
１６、２６、３６……貫通孔
１７、２３、２７、３３……突出部
２８、３８……段部
【図１】
0004213826.tif 000002
【図２】
0004213826.tif 000003
【図３】
0004213826.tif 000004
【図４】
0004213826.tif 000005
【図５】
0004213826.tif 000006
【図６】
0004213826.tif 000007
【図７】
0004213826.tif 000008
【図８】
0004213826.tif 000009
【図９】
0004213826.tif 000010
【図１０】
0004213826.tif 000011